(57)【要約】【課題】  飼い主がペットに対して処方すべき薬剤が判らなくても適切に薬剤を提示するペット用薬箱を提供する。【解決手段】  ペット用薬箱は、獣医からの薬剤を示す薬剤情報を受け付ける受付部と、薬剤情報に基づいてペットに処方すべき薬剤を特定する特定部と、特定部が特定した薬剤を、ペットに処方すべき薬剤として、他の薬剤から区別可能に提示する提示部と、を備えることによって、飼主に薬剤を一意に提示する。【選択図】図１
2020144840.tif 000002
【特許請求の範囲】
【請求項１】
獣医からの薬剤を示す薬剤情報を受け付ける受付部と、
前記薬剤情報に基づいてペットに処方すべき薬剤を特定する特定部と、
前記特定部が特定した薬剤を、ペットに処方すべき薬剤として、他の薬剤から区別可能に提示する提示部と、
を備えるペット用薬箱。
【請求項２】
前記ペット用薬箱は、
前記獣医の端末と通信する通信部を更に備え、
前記受付部は、前記通信部を介して前記薬剤情報を受け付ける
ことを特徴とする請求項１に記載のペット用薬箱。
【請求項３】
前記ペット用薬箱は、
前記獣医の会話音を取得する音声入力部と、
前記音声入力部に入力された会話音から前記薬剤情報を解析する解析部とを更に備え、
前記受付部は、前記解析部が解析した前記薬剤情報を受け付ける
ことを特徴とする請求項１に記載のペット用薬箱。
【請求項４】
前記ペット用薬箱は、
薬剤を収納するためのものであって、薬剤毎に設けられた収納部と、
前記収納部各々に収納されている薬剤を示す収納薬剤情報を記憶する記憶部と、
前記収納部毎に設けられた発光部とを備え、
前記特定部は、前記受付部が受け付けた薬剤情報が示す薬剤が収納されている収納部を、前記収納薬剤情報に基づいて特定し、
前記提示部は、前記特定部が特定した収納部に対応する発光部を発光させることにより、前記ペットに処方すべき薬剤を提示する
ことを特徴とする請求項２または３に記載のペット用薬箱。
【請求項５】
前記ペット用薬箱は、
薬剤を収納するためのものであって、薬剤毎に設けられ、個々に蓋部を有する収納部と、
前記収納部各々に収納されている薬剤を示す収納薬剤情報を記憶する記憶部と、を備え、
前記特定部は、前記受付部が受け付けた薬剤情報が示す薬剤が収納されている収納部を、前記収納薬剤情報に基づいて特定し、
前記提示部は、前記特定部が特定した収納部の蓋部を開くことにより、前記ペットに処方すべき薬剤を提示する
ことを特徴とする請求項２または３に記載のペット用薬箱。
【請求項６】
前記収納部各々の重量を測定するための測定部と、
前記測定部が測定した重量が所定の閾値を下回った場合に、重量が所定の閾値を下回った収納部に収納されている薬剤の補充を提案する提案部を備える
ことを特徴とする請求項４または５のいずれか一項に記載のペット用薬箱。
【請求項７】
前記提案部は、前記獣医の端末に、重量が所定の閾値を下回った収納部に収納されている薬剤の情報を通知することにより、薬剤の補充を提案する
ことを特徴とする請求項６に記載のペット用薬箱。
【請求項８】
ペット用薬箱のコンピュータが、
獣医からの薬剤を示す薬剤情報を受け付ける受付ステップと、
前記薬剤情報に基づいてペットに処方すべき薬剤を特定する特定ステップと、
前記特定ステップにおいて特定した薬剤を、ペットに処方すべき薬剤として、他の薬剤から区別可能に提示する提示ステップと、
を実行するペット用薬剤特定方法。
【請求項９】
ペット用薬箱のコンピュータに、
獣医からの薬剤を示す薬剤情報を受け付ける受付機能と、
前記薬剤情報に基づいてペットに処方すべき薬剤を特定する特定機能と、
前記特定機能が特定した薬剤を、ペットに処方すべき薬剤として、他の薬剤から区別可能に提示する提示機能と、
を実行させるペット用薬剤特定プログラム。
【請求項１０】
獣医用端末と、ペット用薬箱と、を含むペット用遠隔医療診断システムであって、
前記獣医用端末は、
前記ペット用薬箱と通信する第１通信部と、
前記ペットに処方すべき薬剤を指定し、当該薬剤を示す薬剤情報を前記第１通信部により送信する薬剤情報指定部とを備え、
前記ペット用薬箱は、
前記獣医用端末と通信する第２通信部と、
前記第２通信部を介して、前記薬剤情報を受け付ける受付部と、
前記薬剤情報に基づいてペットに処方すべき薬剤を特定する特定部と、
前記特定部が特定した薬剤を、ペットに処方すべき薬剤として、他の薬剤から区別可能に提示する提示部と、備える
ペット用遠隔医療診断システム。
【請求項１１】
前記ペット用遠隔医療診断システムは、更に、ペットを飼育する飼育者の患者用端末を含み、
前記患者用端末は、
前記獣医用端末と通信する第３通信部と、
前記第３通信部を介して、前記獣医とビデオ通話をするための第１ビデオ通話部を備え、
前記第１通信部は、更に、前記患者用端末と通信し、
前記獣医用端末は、更に、
前記第１通信部を介して、前記飼育者とビデオ通話をするための第２ビデオ通話部を備える
ことを特徴とする請求項１０に記載のペット用遠隔医療診断システム。
【請求項１２】
医者からの薬剤を示す薬剤情報を受け付ける受付部と、
前記薬剤情報に基づいて患者に処方すべき薬剤を特定する特定部と、
前記特定部が特定した薬剤を、ペットに処方すべき薬剤として、他の薬剤から区別可能に提示する提示部と、
前記医者の会話音を取得する音声入力部と、
前記音声入力部に入力された会話音から前記薬剤情報を解析する解析部と、を備え、
前記受付部は、前記解析部が解析した前記薬剤情報を受け付ける
ことを特徴とする薬箱。
【発明の詳細な説明】
【技術分野】
【０００１】
本発明は、ペットの薬剤を収納するペット用薬箱、ペット用薬剤特定方法、ペット用薬剤特定プログラム、およびペット用遠隔医療診断システムに関する。
【背景技術】
【０００２】
人間用の薬剤の種類は多数であり、その管理は非常に煩雑なものとなる。そのため、その管理の一助とすべく、例えば、特許文献１には、バイアル瓶に一旦充填された薬剤を薬剤カセット（薬剤収納容器）に戻す場合を典型例とする薬剤カセットへの薬剤の補給作業において、薬剤補給先となる薬剤カセットを特定する作業を的確化及び効率化することができ、また、薬剤の有効期限管理や薬剤カセットにおける残量管理を適切に支援できる薬剤払出装置が開示されている。
【先行技術文献】
【特許文献】
【０００３】
【特許文献１】特開２００７−５４４３０号公報
【発明の概要】
【発明が解決しようとする課題】
【０００４】
ところで、今後、人間に限らず、ペットの薬剤についてもその運用の簡便性、利便性の向上が望まれている。
【０００５】
そこで、本発明は上記要望に鑑みて成されたものであり、従来よりも利便性の高いペット用薬箱、ペット用薬剤特定方法、ペット用薬剤特定プログラム、およびペット用遠隔医療診断システムを提供することを目的とする。
【課題を解決するための手段】
【０００６】
上記課題を解決するために、本発明の一態様に係るペット用薬箱は、獣医からの薬剤を示す薬剤情報を受け付ける受付部と、薬剤情報に基づいてペットに処方すべき薬剤を特定する特定部と、特定部が特定した薬剤を、ペットに処方すべき薬剤として、他の薬剤から区別可能に提示する提示部と、を備える。
【０００７】
また、本発明の一態様に係るペット用薬剤特定方法は、ペット用薬箱のコンピュータが、獣医からの薬剤を示す薬剤情報を受け付ける受付ステップと、薬剤情報に基づいてペットに処方すべき薬剤を特定する特定ステップと、特定ステップにおいて特定した薬剤を、ペットに処方すべき薬剤として、他の薬剤から区別可能に提示する提示ステップと、を実行する。
【０００８】
また、本発明の一態様に係るペット用薬剤特定プログラムは、ペット用薬箱のコンピュータに、獣医からの薬剤を示す薬剤情報を受け付ける受付機能と、薬剤情報に基づいてペットに処方すべき薬剤を特定する特定機能と、特定部が特定した薬剤を、ペットに処方すべき薬剤として、他の薬剤から区別可能に提示する提示機能と、を実行させる。
【０００９】
また、本発明の一態様に係るペット用遠隔医療診断システムは、獣医用端末と、ペット用薬箱と、を含むペット用遠隔医療診断システムであって、獣医用端末は、ペット用薬箱と通信する第１通信部と、ペットに処方すべき薬剤を指定し、当該薬剤を示す薬剤情報を第１通信部により送信する薬剤情報指定部とを備え、ペット用薬箱は、獣医端末と通信する第２通信部と、第２通信部を介して、薬剤情報を受け付ける受付部と、薬剤情報に基づいてペットに処方すべき薬剤を特定する特定部と、特定部が特定した薬剤を、ペットに処方すべき薬剤として、他の薬剤から区別可能に提示する提示部と、備える。
【００１０】
上記装置において、ペット用薬箱は、獣医の端末と通信する通信部を更に備え、受付部は、通信部を介して薬剤情報を受け付けることとしてもよい。
【００１１】
上記装置において、ペット用薬箱は、獣医の会話音を取得する音声入力部と、音声入力部に入力された会話音から薬剤情報を解析する解析部とを更に備え、受付部は、解析部が解析した薬剤情報を受け付けることとしてもよい。
【００１２】
上記装置において、ペット用薬箱は、薬剤を収納するためのものであって、薬剤毎に設けられた収納部と、収納部各々に収納されている薬剤を示す収納薬剤情報を記憶する記憶部と、収納部毎に設けられた発光部とを備え、特定部は、受付部が受け付けた薬剤情報が示す薬剤が収納されている収納部を、収納薬剤情報に基づいて特定し、提示部は、特定部が特定した収納部に対応する発光部を発光させることにより、ペットに処方すべき薬剤を提示することとしてもよい。
【００１３】
上記装置において、ペット用薬箱は、薬剤を収納するためのものであって、薬剤毎に設けられ、個々に蓋部を有する収納部と、収納部各々に収納されている薬剤を示す収納薬剤情報を記憶する記憶部と、を備え、特定部は、受付部が受け付けた薬剤情報が示す薬剤が収納されている収納部を、収納薬剤情報に基づいて特定し、提示部は、特定部が特定した収納部の蓋部を開くことにより、ペットに処方すべき薬剤を提示することとしてもよい。
【００１４】
上記装置において、収納部各々の重量を測定するための測定部と、測定部が測定した重量が所定の閾値を下回った場合に、重量が所定の閾値を下回った収納部に収納されている薬剤の補充を提案する提案部を備えることとしてもよい。
【００１５】
また、本発明の一態様に係る薬箱は、医者からの薬剤を示す薬剤情報を受け付ける受付部と、前記薬剤情報に基づいて患者に処方すべき薬剤を特定する特定部と、前記特定部が特定した薬剤を、ペットに処方すべき薬剤として、他の薬剤から区別可能に提示する提示部と、前記医者の会話音を取得する音声入力部と、前記音声入力部に入力された会話音から前記薬剤情報を解析する解析部と、を備え、前記受付部は、前記解析部が解析した前記薬剤情報を受け付ける。
【発明の効果】
【００１６】
本発明の一態様に係るペット用薬箱は、ペット処方すべき薬剤を、他の薬剤から区別可能なように提示する。したがって、ペット用薬箱は、飼い主がペットに対して処方すべき薬剤がわからなくても、薬剤の誤用を防止して、適切な薬剤を提示することができる。
【図面の簡単な説明】
【００１７】
【図１】ペット用遠隔医療診断システムの概要を示す概要図である。
【図２】（ａ）は、ペット用薬箱の平面図である。（ｂ）は、ペット用薬箱の平面図であって、他の例を示す図である。
【図３】ペット用薬箱および獣医用端末の構成例を示すブロック図である。
【図４】ペット用薬剤データベース１２１の構成例をデータ概念図である。
【図５】ペット用遠隔医療診断システムに係る各装置間のやり取りの例を示すシーケンス図である。
【図６】ペット用薬箱の動作を示すフローチャートである。
【発明を実施するための形態】
【００１８】
以下、本発明の一実施態様に係るペット用薬箱ならびにペット用遠隔医療診断システムについて、図面を参照しながら詳細に説明する。
【００１９】
＜実施の形態＞
＜構成＞
図１は、ペット用遠隔医療診断システムの概要を示す概要図である。ペット用遠隔医療診断システムでは、獣医２０の端末である獣医用端末２００と、ペット３１の飼主３０の端末である患者用端末３２と、ペット用薬箱１００とが、ネットワーク３００を介して、互いに通信可能に接続されている。獣医用端末２００は、ＰＣ、タブレット端末などにより実現される情報処理装置である。患者用端末３２は、ＰＣ、タブレット端末などにより実現される情報処理装置である。また、ネットワーク３００は、有線、無線のいずれで構成されてよく、ワイヤレスＬＡＮ（ｗｉｒｅｌｅｓｓ  ＬＡＮ：ＷＬＡＮ）や広域ネットワーク（ｗｉｄｅ  ａｒｅａ  ｎｅｔｗｏｒｋ：ＷＡＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）、ＬＴＥ−Ａｄｖａｎｃｅｄ、第４世代（４Ｇ）、第５世代（５Ｇ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）、イーサネット（登録商標）などにより実現されてよいが、これらに限定するものではなく、本実施の形態専用に構築された専用回線であってもよい。ペット用薬箱１００は、ユーザである飼主３０にペット３１に投与すべき薬剤を提示することができる薬箱であり、ペット用の置き薬を収納する薬箱として用いることもできる。
【００２０】
ペット用遠隔医療診断システムは、ビデオ通話によるペットの医療診断システムである。図１に示すように、ペット用遠隔医療診断システムでは、ペット３１の飼主３０は、自身の患者用端末３２に付随するカメラ（不図示）で、ペット３１を撮影し、その映像データを、ネットワーク３００を介して、獣医用端末２００に送信する。獣医２０は、獣医用端末２００に表示されたペット３１の様子を見て、ペット３１の容体を確認する。そして、獣医２０は、診断結果に基づいて、ペット３１に処方すべき薬剤を特定する。すると、獣医２０は、獣医用端末２００を用いて、特定した薬剤を示す情報を、ネットワーク３００を介して、飼主３０が保持するペット用薬箱１００に送信する。ペット用薬箱１００は、獣医用端末から薬剤を示す情報を受信すると、その情報に対応する薬剤が収納されている収納部を特定し、特定した収納部を他の収納部から区別可能に提示する。図１の例では、特定した収納部１０２の蓋１０１のみを開けることで、薬剤４１０を飼主３０に提示する様子を示している。このように、本実施形態に係るペット用薬箱ならびにペット用遠隔医療診断システムでは、ペットの容体を遠隔で獣医が確認でき、遠隔でペットに処方すべき薬剤を特定し、飼主３０がどの薬剤を処方すべきからわからずとも、ペット用薬箱１００が、処方すべき薬剤を提示するので、投与すべき薬剤を一目で理解することができる。以下、詳細に説明する。
【００２１】
図２（ａ）は、ペット用薬箱１００をその上面から見た平面図の一例である。ペット用薬箱１００は、ペット用の薬剤毎に、その薬剤を収納するための収納部を備える。図２（ａ）に示す例では、ペット用薬箱１００は、収納部１０２ａ、１０２ｂ、１０２ｃ、１０２ｄ、…、１０２ｌの１２個の薬剤を収納する収納部を備え、その中に薬剤４１０ａ、４１０ｂ、４１０ｃ、４１０ｄ、…が収納されているが、収納部の数は１２個に限定するものではなく、１２個より少なくてもよいし、多くてもよい。収納部各々には、蓋が設けられており、図２（ａ）に示す例では、収納部１０２ｇに設けられた蓋１０１ｇが開けられ、その中の薬剤４０１ｇが提示されている様子を示している。なお、以降においては、蓋、収納部、薬剤それぞれを特別に区別する必要がない場合には、蓋１０１、収納部１０２、薬剤４１０と記載する。
【００２２】
図２（ａ）に示すように、ペット用薬箱１００は、特定の蓋１０１が開くことによって、他の薬剤から区別してペットに処方すべき薬剤４１０を提示することができる。なお、蓋１０１の開閉機構は、自動でペット用薬箱１００に設けられたコンピュータ（制御回路）からの信号による開閉が実現できれば、どのようなものであってもよく、例えば、バネ機構を利用したものであってもよいし、モータによる開閉機構であってもよい。
【００２３】
また、ペット用薬箱１００は、薬剤４１０が他の薬剤４１０から区別可能なように特定できるようになっていればよく、特定の蓋１０１の開閉以外の手法を用いて、提示できる構成を採ることとしてもよい。例えば、図２（ｂ）に示すように、ペット用薬箱１００は、各収納部に対応付けて、発光部１０３ａ〜１０３ｌ（以降、特定の発光部を区別する必要がない場合には、発光部１０３と記載する。）を備えることとしてもよい。そして、ペット用薬箱１００は、特定の薬剤を提示する際に、対応する発光部１０３を発行させることによって、提示する。図２（ｂ）に示す例では、発光部１０３ｃを発行させて、対応する収納部１０２ｃに収納されている薬剤４１０ｃが、処方すべき薬剤であることを提示している例を示している。
【００２４】
図３は、ペット用薬箱１００及び獣医用端末２００の構成例を示すブロック図である。図３に示すようにペット用薬箱１００は、通信部１１０と、記憶部１２０と、制御部１３０とを備える。
【００２５】
通信部１１０は、ネットワーク３００を介して、獣医用端末２００と通信する機能を有する通信インターフェースである。通信部１１０は、獣医用端末２００と通信ができれば、有線通信、無線通信のいずれで実現されてもよく、使用する通信プロトコルを問わないものとするが、飼主３０による持ち運びの利便性を考慮すると無線による通信の方が有線による通信よりも好ましい。通信部１１０は、獣医用端末２００からペット３１に処方すべき薬剤に関する情報を受信し、制御部１３０に伝達する。
【００２６】
記憶部１２０は、ペット用薬箱１００が動作上必要とする各種プログラムならびに各種データを記憶する機能を有する。記憶部１２０は、例えば、ＨＤＤ（Hard Disc Drive）、ＳＳＤ（Solid State Drive）、フラッシュメモリなど、各種の記録媒体により実現することができるがこれらに限定するものではない。記憶部１２０は、ペット用薬剤データベース１２１を記憶している。ペット用薬剤データベース１２１の詳細については後述する。
【００２７】
制御部１３０は、ペット用薬箱１００の各部を制御する機能を有するプロセッサである。制御部１３０は、記憶部１２０に記憶されている各種のプログラムを実行し、記憶部１２０に記憶されているデータを利用して、ペット用薬箱１００の機能を実現する。
【００２８】
制御部１３０は、通信部１１０から伝達されたペット３１に処方すべき薬剤に関する情報に基づいて、ペット３１に処方する薬剤を特定する特定部と、特定部が特定した薬剤を他の薬剤から区別可能に飼主３０に提示する提示部として機能する。
【００２９】
制御部１３０は、通信部１１０から、獣医用端末２００から送信されたペット３１に処方すべき薬剤に関する情報を受信すると、その薬剤がどの薬剤であるかを、ペット用薬剤データベース１２１を参照して特定する。そして特定した薬剤がどの収納部１０２に収納されているかを、ペット用薬剤データベースを用いて特定する。そして、特定した収納部１０２を、他の収納部から区別可能なように提示することで、飼主３０にペット３１に処方すべき薬剤を提示する。
【００３０】
以上が、ペット用薬箱１００の構成である。
【００３１】
次に、獣医用端末２００の構成について説明する。図３に示すように、獣医用端末２００は、通信部２１０と、記憶部２２０と、制御部２３０と、入力部２４０とを備える。
【００３２】
通信部２１０は、ネットワーク３００を介して、患者用端末３２およびペット用薬箱１００と通信する機能を有する通信インターフェースである。通信部２１０は、患者用端末３２およびペット用薬箱１００と通信ができれば、有線通信、無線通信のいずれで実現されてもよく、使用する通信プロトコルを問わないものとする。通信部２１０は、患者用端末３２からペット３１の様子を示す映像信号を受信して制御部１３０に伝達して表示させ、制御部２３０から指定されたペット３１に処方すべき薬剤に関する情報をペット用薬箱１００に送信する。
【００３３】
記憶部２２０は、獣医用端末２００が動作上必要とする各種プログラムならびに各種データを記憶する機能を有する。記憶部２２０は、例えば、ＨＤＤ（Hard Disc Drive）、ＳＳＤ（Solid State Drive）、フラッシュメモリなど、各種の記録媒体により実現することができるがこれらに限定するものではない。記憶部２２０は、ペット用薬剤データベース２２１を記憶している。ペット用薬剤データベース２２１の詳細については後述する。
【００３４】
制御部２３０は、獣医用端末２００の各部を制御する機能を有するプロセッサである。制御部２３０は、記憶部２２０に記憶されている各種のプログラムを実行し、記憶部２２０に記憶されているデータを利用して、獣医用端末２００の機能を実現する。制御部２３０は、通信部２１０から伝達された患者用端末３２から送信されたペット３１の様子を示す映像を、獣医用端末２００に接続されているモニタに表示したり、入力部２４０から伝達された薬剤を指定する情報を、通信部２１０を介してペット用薬箱１００に送信するように通信部２１０に指示する。
【００３５】
入力部２４０は、獣医２０からの入力を受け付ける入力インターフェースであり、例えば、マウスやキーボード等の入力機器により実現することができるが、これらに限定されるものではない。例えば、音声入力により実現されてもよい。入力部２４０は、獣医２０から薬剤を指定する情報の入力を受けて、制御部２３０に伝達する。
【００３６】
以上が、獣医用端末２００の構成である。なお、患者用端末３２は、一般的なＰＣであり、撮影機能を有し、撮影した映像を獣医用端末２００に送信できればどのような端末であってもよい。
【００３７】
＜データ＞
図４は、ペット用薬剤データベース１２１のデータ構成例を示すデータ概念図である。図４に示すように、ペット用薬剤データベース１２１は、収納部識別情報４０１と、薬剤識別情報４０２とが対応付けられた情報である。
【００３８】
収納部識別情報４０１は、ペット用薬箱１００の各収納部１０２を一意に特定することが可能な識別情報である。
【００３９】
薬剤識別情報４０２は、対応する収納部識別情報４０１が示す収納部１０２に収納されている薬剤を一意に特定することが可能な識別情報である。図４においては、風邪薬、鼻炎薬、目薬などの一般名称で示しているが、実際には、各薬剤に付与されている固有の識別子を用いることとする。
【００４０】
ペット用薬箱１００の制御部１３０は、獣医から指定された処方すべき薬剤の情報を用いて、薬剤識別情報４０２を参照して、薬剤を特定し、ペット用薬剤データベース１２１の対応する収納部識別情報４０１から収納されている収納部１０２を特定する。そして、特定した収納部１０２の蓋１０１を開けることで、ペット３１の飼主３０に、処方すべき薬剤を一意に提示することができる。
【００４１】
なお、獣医用端末２００に記憶されているペット用薬剤データベース２２１は、ペット用薬剤データベース１２１の集合であり、各患者（ペットおよび飼主）に対応付けて、各飼主ごとに区別可能に構成されたデータとなる。
【００４２】
＜動作＞
図５は、ペット用遠隔医療診断システムに係る各装置間のやり取りの一例を示すシーケンス図である。
【００４３】
図５に示すように、飼主３０は、自身が飼育しているペット３１に何らかの異常があると判断した場合に、患者用端末３２から、獣医用端末２００にペットの遠隔診断を依頼する（ステップＳ５０１）。
【００４４】
当該依頼を受けて、獣医２０は、獣医用端末２００を用いてペット３１の容体を確認する（ステップＳ５０２）。即ち、飼主３０はペット３１の様子を撮影し、その映像を、患者用端末３２から、獣医用端末２００に送信する。獣医２０は受信した映像を、獣医用端末２００のモニタで確認して、ペット３１の容体を確認する。
【００４５】
飼主３０は、ペット３１に処方すべき薬剤の特定を獣医２０に依頼する（ステップＳ５０３）。そして、獣医２０は、ペット３１の容体から特定した処方すべき薬剤の情報を、獣医用端末２００に入力する。すると。獣医用端末２００は、処方すべき薬剤の情報を、ペット用薬箱１００に送信する（ステップＳ５０４）。
【００４６】
ペット用薬箱１００は、処方すべき薬剤の情報を受信すると、その薬剤が収納されている収納部を特定し、他の収納部から区別可能に提示することで、ペット３１に処方すべき薬剤を提示する（ステップＳ５０５）。
【００４７】
図５に示す処理をペット用薬箱１００が実現するための動作について、図６のフローチャートを用いて詳細に説明する。図６は、ペット用薬箱１００の動作を示すフローチャートである。
【００４８】
図６に示すように、ペット用薬箱１００の通信部１１０は、獣医用端末２００から送信されたペット３１に処方すべき薬剤を示す情報を、ネットワーク３００を介して受信する（ステップＳ６０１）。通信部１１０は、受信したペット３１に処方すべき薬剤を示す情報を、制御部１３０に伝達する。
【００４９】
制御部１３０は、通信部１１０から、ペット３１に処方すべき薬剤を示す情報を受け取ると、ペット用薬剤データベース１２１の薬剤識別情報４０２を参照して、その薬剤がいずれであるかを特定するとともに、特定した薬剤が収納されている収納部がいずれであるかを、対応する収納部識別情報４０１を参照して特定する（ステップＳ６０２）。
【００５０】
そして、制御部１３０は、特定した収納部識別情報４０１で示される収納部１０２を他の収納部から区別可能に提示する（ステップＳ６０３）。即ち、制御部１３０は、特定した収納部１０２の蓋１０１を開けて、飼主３０にペット３１に投与すべき薬剤を提示する。
【００５１】
これにより、ペット用薬箱１００は、飼主３０に、ペット３１に処方すべき薬剤を一意に示すことができる。したがって、飼主３０が、どの薬剤を処方すべきかを認識しておらずとも、飼主３０は間違えることなくペット３１に薬剤を処方することができる。よって、ペット用薬剤の誤用を防止することができる。
【００５２】
＜補足＞
上記実施の形態に係る装置は、上記実施の形態に限定されるものではなく、他の手法により実現されてもよいことは言うまでもない。以下、各種変形例について説明する。
【００５３】
（１）上記実施の形態においては、ペット用薬箱１００は、飼主３０に、ペット３１に処方すべき薬剤を提示するのみであったが、その他にも以下に示すような機能を有してもよい。即ち、ペット用薬箱１００は、収納している薬剤のうち、その量が所定以上減少した場合に、その補充を提案する機能である。ペット用薬箱１００は、各収納部毎に重量センサを設けることで、それぞれどれだけの量を使用したかを特定することができる。そして、各薬剤について、補充するタイミングを定めるための閾値を設け、その閾値と比較して、重量がその閾値を上回っている場合は、まだ、薬剤が十分にあると判断するとともに、下回った場合には、薬剤を補充すべきであると判断して、補充を提案することとしてよい。なお、精度は低下するものの、重量センサを各収納部ごとに設けずに、全体で一つ、あるいは、複数で一つ設けるようにし、薬剤を使用するごとに減少した重量から使用した薬剤を特定した薬剤を使用した記録をつけ、薬剤毎の使用量が一定の閾値を超えると、薬剤の補充を提案する構成としてもよい。なお、薬剤の補充の提案は、例えば、ペット用薬箱１００の各収納部毎に発光部を設けて、その発光部を発光させることで薬剤の補充を提案することとしてもよいし、獣医用端末２００に通信により提案することとしてもよいし、あるいは、ペット用薬剤を配信する配信会社に通信により提案することとしてもよい。
【００５４】
（２）  上記実施の形態においては、ペット用薬箱１００は、獣医２０の獣医用端末２００から薬剤を示す情報を受信することで、処方すべき薬剤を特定することとしたが、これはその限りではない。ペット用遠隔医療診断システムにおいては、遠隔で診断する特性上、ビデオ通話による診断を行うことなる。したがって、患者用端末３２は、獣医２０の声を出力するためのスピーカを備えることとなる。そこで、ペット用薬箱１００は、マイクを備え、その音声を取得する機能を有してもよい。そして、ペット用薬箱１００の制御部１３０は、マイクが集音した音声を音声認識処理により、テキストデータに変換し、その中から薬剤に関する情報を抽出することで、薬剤を特定することとしてもよい。この場合、ペット用薬箱１００は、テキストデータと、ペット用薬剤データベース１２１の薬剤識別情報４０２が示す名称とのパターンマッチングによる薬剤を特定してもよいし、予め、薬剤の名称を含む音声を入力として、薬剤を特定する情報を出力する学習モデルを記憶部１２０に記憶させておくことで、深層学習における推定機能を用いた薬剤の特定を行ってもよい。
【００５５】
（３）  上記実施の形態においては、医者２０と、ペット３１およびペット３１の飼主３０が、それぞれのモニタ越しで動画（ビデオ通話）によるやり取りをする例を示しているが、これはその限りではない。飼主３０と医者２０とは、互いにテキストによるやり取り（例えば、メールやチャットなど）を行ってもよいし、ペット３１の様子を示す映像として、動画ではなく、静止画（写真）によって、ペット３１の様子を医者２０に伝えるようにしてもよい。
【００５６】
（４）  上記実施の形態においては、ペット用の薬箱について説明したが、ペット用薬箱は、その内容物（薬剤）を人間用の医薬品に変更することで、人間用の薬箱としても活用することができる。
【００５７】
即ち、薬箱の中の各収納部には人間用の医薬品を収納する。そして、収納した医薬品と箱との対応を示すペット用薬剤データベース１２１の代替となる人間用薬剤データベースを薬箱１００及び医者の端末２００それぞれの記憶部１２０、記憶部２２０に記憶させる。
【００５８】
そして、上記実施形態に示したようにペットの代わりに、病気を患った患者が、遠隔で医者の診察を受け、その結果として処方される薬剤を、人間用の薬箱１００を用いて指定する。この指定は、医者が、端末２００を利用して、ネットワーク３００を介して、薬箱１００に指示することで、薬箱１００が対応する薬剤が格納されている収納部がわかるように患者に示す（収納部のランプが光ったり、収納部の蓋が空いたり、など）こととしてもよい。また、あるいは、薬箱１００は、患者と医者との会話を、録音し、その音声信号に解して音声認識処理を行って、患者が使用すべき薬剤を、患者と医者との会話から特定し、特定した薬剤が収納されている収納部を患者に通知するという構成を備えてもよい。
【００５９】
患者と医者の会話から薬剤を特定する手法は、上記補足（２）に示した場合と同様に、患者と医者との間の会話音声に対して音声認識処理をかけることで得られるテキストデータと、人間用薬剤データベース１２１の薬剤識別情報４０２が示す名称とのパターンマッチングにより薬剤を特定してもよいし、予め、薬剤の名称を含む音声を入力として、薬剤を特定する情報を出力する学習モデルを記憶部１２０に記憶させておくことで、深層学習における推定機能を用いた薬剤の特定を行ってもよい。なお、ここでは、音声による入力としているが、これは、患者と医者との間のチャットによるテキスト情報を入力として薬剤を特定することとしてもよい。また、提示する薬剤の特定は、医者の端末２００から薬箱１００に対して直接通信による指示であってもよい。また、医者は、端末２００から患者のＰＣに対して、使用する薬剤を格納した場所を示す位置を画像によって示したり、テキストによって示したりしてもよい。
【００６０】
（５）  上記実施の形態においては、ペット用薬箱におけるペットに処方すべき薬剤を提示する手法として、ペット用薬箱のプロセッサが薬剤特定プログラム等を実行することにより、処方すべき薬剤を提示することとしているが、これは装置に集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。
【００６１】
また、上記薬剤特定プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記薬剤特定プログラムは、当該薬剤特定プログラムを伝送可能な任意の伝送媒体（通信ネットワークや放送波等）を介して上記プロセッサに供給されてもよい。本発明は、上記歩行教示プログラムが電子的な伝送によって具現化された、搬送波に埋め込まれたデータ信号の形態でも実現され得る。
【００６２】
なお、上記薬剤特定プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【００６３】
（６）上記実施形態及び各補足に示した各構成は、適宜組み合わせることとしてもよい。
【符号の説明】
【００６４】
１００  ペット用薬箱
１１０  通信部
１２０  記憶部
１３０  制御部（特定部、提示部）
２００  獣医用端末
２１０  通信部
２２０  記憶部
２３０  制御部
２４０  入力部
３００  ネットワーク
【図１】
2020144840.tif 000003
【図２】
2020144840.tif 000004
【図３】
2020144840.tif 000005
【図４】
2020144840.tif 000006
【図５】
2020144840.tif 000007
【図６】
2020144840.tif 000008